Podtech/llm-jp-corpus-v4-ja_patent huggingface dataset:
(57)【要約】【課題】本発明は、一般水道水をタンクに入れるだけという簡単な構造で、水道水に含まれる塩素、トリハロメタン、水道管のサビ、一般細菌、大腸菌を除去すると共に、マグネシウム、カリウム、カルシウム等のミネラルを豊富に含んだ酸化還元化された水を飲用する事が出来る濾過フィルター、濾過カートリッジ、人工ゼオライトを使用したウォーターサーバー、タンクを提供する【解決手段】水道水を酸化還元化されたミネラル水素水に変える為、下部タンク、サーバー内に人工ゼオライトを備えたことを特徴とする。【選択図】図２
2010188331.tif 000002
【特許請求の範囲】
【請求項１】
水道水の不純物、一般細菌を除去する活性炭層、セラミック層、さんご石層の３種類からなる６層の濾過フィルター
【請求項２】
前記の濾過フィルターを通過した水が下部タンク、サーバー内に設置した人工ゼオライトによってミネラル分を溶出し酸化還元水となるミネラル水素化ウォーターサーバーシステム。
【発明の詳細な説明】
【技術分野】
【０００１】本発明は、水道水中の不純物を除去し、ミネラル分を供給する機能を含む、浄水フィルターと、有害物質、悪臭を取り除くタンク内に設置したゼオライトを使用し、ミネラル水素化するウォーターサーバータンクシステムに関する。
【背景技術】
【０００２】近年、水道水に含まれる塩素、トリハロメタン、サビ、カルキ臭を除去するために活性炭等の濾過材等を使用した浄水器が普及してきている。【０００３】従来、サーバーの上に約重量１０ｋｇの水の入ったタンクを乗せ冷水・温水を供給するウォーターサーバーとして引用文献１がある。
【特許文献１】特開２００７−１３６３０４
【発明の概要】
【発明が解決しようとする課題】
【０００４】上記従来のウォーターサーバーではマグネシウム、カリウム、カルシウムなどのミネラルを含んだ飲料水を得ることはできなかった。【０００５】さらに、従来のウォーターサーバーではサーバーの上に重量約１０ｋｇのタンクを約１メートル持ち上げて乗せるため、高齢者、女性、子供にとっては取替え作業が大変で腰痛、落とした際のケガの恐れがあった。【０００６】また、従来のウォーターサーバーはタンクの水がなくなると水を買い、配達をしてもらうため、使えば使うほどコストが高くなっていた。また、配達の際にＣＯ２を排出してしまう。【０００７】本発明は上記の欠点を除くことができるものである。
【課題を解決するための手段】
【０００８】本発明は、水道水の不純物を除去する為、フィルター内で厚さの違う活性炭を２層備えていることを特徴とする。【０００９】また、マグネシウム、カリウム、カルシウムを作り出す為、大きさの違うセラミックを３層備えていることを特徴とする。【００１０】また、不純物除去、臭いの元を除去しミネラルを排出するさんご石の層を備えていることを特徴とする。【００１１】また、本発明の濾過フィルターは底に小さな穴が開いた容器を６層に重ねていることを特徴とする。【００１２】また、水道水を注ぐ上部タンクと、濾過フィルターを通過し濾過された水が溜まる下部タンクを有することを特徴とする。【００１３】または、下部タンク内と、サーバー本体に人工ゼオライトを２つ設置することにより、濾過フィルターを通過した水が人工ゼオライトによってミネラル分を溶出し、酸化還元化されたミネラル水素水となることを特徴とする。【００１４】また、酸化還元電位計を使用し、通常酸化しているの水道水を、酸化還元水に変えることが出来る事を特徴とする。【００１５】また、タンクをサーバーから着脱可能であることから、汚れなどの処理をスムーズに出来る事を特徴とする。【００１６】また、タンク及び濾過フィルターにＵＶカット加工を施し、太陽光を遮断することで、藻の発生による水質悪化を抑制できることを特徴とする。
【発明の効果】
【００１７】本発明は、一般水道水をタンクに入れるだけという簡単な構造で、水道水に含まれる塩素、トリハロメタン、水道管のサビ、一般細菌、大腸菌を除去すると共に、マグネシウム、カリウム、カルシウム等のミネラルを豊富に含んだ酸化還元化された水を飲用する事が出来る。また、一般水道水を使用することにより使用量が増えてもコストが安くなる。また、通常の生活に使用している水を本発明にて濾過、酸化還元化して使用するため水道料金も変わらない。
また、従来のように水を配達しないので、輸送の際のＣＯ２削減になり、環境保護にも役立つ事が出来る。
【図面の簡単な説明】
【００１８】
【図１】本発明の濾過フィルターの全体図である
【図２】本発明のウォーターサーバーシステムの一部縦断側面図である。
【図３】本発明のウォーターサーバーシステムの全体図である。
【発明を実施するための形態】
【００１９】以下図面によって本発明の実施例を説明する。
【実施例１】
【００２０】本発明のイオン化ウォーターサーバーシステムは図１で示すように、濾過フィルターＲを備えたことで水道水の不純物を取り除くため厚さの違う活性炭層１、セラミック層２，３，４、さんご石層５の６層となる。
【実施例２】
【００２１】また、図２の上部タンク７に入れた水道水が濾過フィルターＲを通過し、下部タンク８、ウォーターサーバーＷ内に設置した人工ゼオライトＺによってミネラル分を溶出し酸化還元化されたミネラル水素水となる。
【符号の説明】
【００２２】１活性炭
２セラミック
３セラミック
４セラミック
５さんご石
６蓋
７上部タンク
８下部タンク
９貯水タンク
１０冷温タンク
１１冷水口
１２温水口
１３ドームフィルター
Ｔウォータータンク
Ｗウォーターサーバー
Ｒ濾過フィルター
【図１】
2010188331.tif 000003
【図２】
2010188331.tif 000004
【図３】
2010188331.tif 000005
(57)【要約】【課題】現在市販されているガスふろがま（ＢＦ式２つ穴）は、浴槽のお湯を何度も循環させ追い炊きするタイプであり、その内部は湯あか・湯どろがびっしり付着し雑菌（大腸菌・ブドウ球菌）の温床となっている。以上を完璧に掃除する用具を提供する。【解決手段】  このかまの内部は大変せまく、迷路のようにいりくんでいる。  水道ビニールホースの一端に先端をまげ溶接加工したステンレスパイプＡ・Ｂを取り付けかま内部のいかなる箇所にも勢いよく水道水を噴射し清掃する。【選択図】図１
2010188332.tif 000002
【特許請求の範囲】
【請求項１】
水道ビニールホース（１）の一端に、先端をまげ溶接加工してあるステンレスパイプ（２）〔命名クリンパイプＡ、及びＢ〕を設けたガスふろがま内部専用清掃用具。
【発明の詳細な説明】
【技術分野】
【０００１】  この発明は、水道ビニールホースの一端に先端をまげ溶接加工したステンレスパイプに関するものである。
【背景技術】
【０００２】  従来は水道ビニールホース（外径２０ｍｍ）と清掃ブラシを用いガスふろがま内部を清掃することはまったく出来ない。ガスふろがま内部は大変せまく、迷路のようにいりくんでいて、それ専用の掃除用具がない。
【発明の開示】
【発明が解決しようとする課題】
【０００３】  ガスふろがま内部の各箇所に直接勢いよく水流をぶつけ湯あか・湯どろを粉砕清掃する為に発明した。
【課題を解決するための手段】
【０００４】  水道ビニールホースの一端に先端を加工したステンレスパイプを設ける。
本発明は、以上の構成よりなるガスふろがま内部を清掃する為の専用清掃用具である。
【発明の効果】
【０００５】  ガスふろがま内部の各箇所にまげ溶接加工されたステンレスパイプより勢いのよい水流が湯あか・湯どろを粉砕清掃ができる、内部全体をきれいに出来る。
【発明を実施するための最良の形態】
【０００６】  以下、本発明を実施する為の最良の形態について説明する。
水道ビニールホースの一端に先端を加工したステンレスパイプＡ又はＢを取り付けガスふろがま内部の各箇所を勢いよく水道水を流し清掃する。
【図面の簡単な説明】
【０００７】
【図１】本発明の概要図
【図２】本発明を使用するガスふろがま図
【図３】本発明を使用するガスふろがま内部図、クリンパイプＡ・Ｂ検討図
【符号の説明】
【０００８】１水道ビニールホース（外径１１ｍｍ、内径６ｍｍ）
２ステンレスパイプ（外形６ｍｍ、内径４．４ｍｍ）まげ加工溶接
【図１】
2010188332.tif 000003
【図２】
2010188332.tif 000004
【図３】
2010188332.tif 000005
(57)【要約】      （修正有）【課題】サーフボードに用いるリーシュコードは、リーシュコード自体の重みで沈み、漂い、足やフィンに絡まりやすかった。又、オモリ付のリーシュコードもあるが、オモリ自体を取り外せない為、オモリを再利用することが出来なかった。リーシュコードが沈むため足首に使用感があった。【解決手段】リーシュコード１に浮き４を設ける。浮き４の働きでリーシュコード１が浮き、足１０やフィン２に絡まりにくい。リーシュコード１が浮く事で、使用者の肉体的負担を軽減できる。浮き４には切り目があるので取り付け取り外しができる。【選択図】図１
2010188743.tif 000002
【特許請求の範囲】
【請求項１】
サーフィンをする際に使用するサーフボードの流れ止めに浮きを取り付ける事を特徴とする浮き。
【請求項２】
前記浮きは外側から中心にかけて切り目があり、真ん中にはサーフボードの流れ止めを取り付ける穴が設けられた取り付け外し可能を特徴とする請求項１記載の浮き。
【発明の詳細な説明】
【技術分野】
【０００１】  本発明はサーフボードの流れ止め（以下リーシュコードと言う。）に用いる事に関する。
【背景技術】
【０００２】  リーシュコードは、図２に示すように体５とサーフボード６が離れないように足首１１とサーフボード６を繋ぐためのコードである。【０００３】  又、従来のリーシュコードには、図３に示すように絡み防止やサーフボードの上に立つ時にリーシュコードを踏まない様に、リーシュコードにオモリを施したものもある（非特許文献参照。）。
以下、図２、図３により従来のリーシュコードについて説明する。
【先行技術文献】
【０００４】
【非特許文献】
【非特許文献】ｈｔｔｐ：／／ｗｗｗ．ｍａｒ−ｓｕｒｆ．ｃｏｍ／ｓｈｏｐｄｅｔａｉｌ／００８００３０００００１／ｏｒｄｅｒ／
【発明の概要】
【発明が解決しようとする課題】
【０００５】  上記課題を図面に基づいて説明する。
図２の様に只繋いでいるだけでは、リーシュコード１自体の重みで沈み、漂い、足１０やフィン２に絡み、引っ張られてバランスを取りづらかった。【０００６】  又、図３の様にオモリ９が付いていると、リーシュコード１が波待ちの時、常に沈んでいる為、足首１１に重みを感じ不快感があり肉体的疲労があった。【０００７】  上記記載のオモリ９は、表面にソフトラバー加工をしているが、実際に硬く、波にもまれた時、万が一サーフボード６に当たれば損傷する可能性があった。【０００８】  オモリ９はリーシュコードから取り付け外し不可能であった。【０００８】  本発明は、上記した従来の問題点に鑑みてなされたものであって波待ちの時でも、快適にフリーサーフィンを提供する事を目的とする。
【課題を解決するための手段】
【０００９】  上記目的を達成するために、第一発明はリーシュコードに取り付ける浮きを設けた事を特徴とする。【００１０】  第二発明は浮きに図４記載の穴７と切り目８を入れ、取り付け外しを可能にすることを特徴とする浮きである。
【発明の効果】
【００１１】  第一発明によれば、リーシュコードを浮きによって海面に浮かす事で、足首に伝わる重みを無くしリーシュコードの使用感を最小限にする。又、リーシュコードを海面に浮かす事で足やフィンに絡まりにくくし、使用者の肉体的負担の軽減を提供することができる。【００１２】  本発明の浮きは、海面に浮くために抵抗が少ない球体の浮きである。
浮きは、真ん中にリーシュコードよりも少し小さめの穴があり、使用時はリーシュコードよりも穴の方が小さい為、容易に取り付け位置が移動せず、浮きはリーシュコードに取り付けた位置を維持出来る。したがってリーシュコードの浮き具合を一定に保てる。【００１３】  浮きの材質は、ＥＶＡ（エチレン・ビニル・アセテート）スポンジで、ポリエチレンの様に塩素を含まないため、焼却してもダイオキシンが発生しない浮き。【００１４】  又、水分を吸わず低温特性に優れ冷たい海水でも硬くならず、弾力性がある硬くない浮き。そのため波にもまれた時、浮きが体やサーフボードに当たっても損傷しない。【００１５】  更に、風や紫外線を浴び続けても劣化しにくい素材の浮きである。【００１６】  そして、環境ホルモンを一切含まない無公害素材なので海で無くしても、環境に優しい浮きである。【００１７】  第二発明によれば、浮きに切り目を入れたのでリーシュコードの傷や劣化があれば浮きを取り外して別のリーシュコードに付け替えられる。【００１８】  又、浮きを使いまわしが出来ることで経済や環境にも優しい浮きである。
【図面の簡単な説明】
【００１９】
【図１】本発明の一実施形態を示した断面図である。
【図２】従来を示した断面図である。
【図３】オモリ付きの従来を示した断面図である。
【図４】浮きを拡大した図。
【発明を実施するための形態】
【実施例】
【００２０】  本発明の最良の実施形態を、図１に示す。リーシュコード１は丸い紐状であり、浮き４は、真ん中にリーシュコード１よりも少し小さめの穴７があり、使用時、リーシュコード１よりも穴７の方が小さい為、容易に取り付け位置が移動せず、浮き４はリーシュコード１に取り付けた位置を維持出来る。したがってリーシュコード１の浮き具合を一定に保てる。【００２１】  浮き４は、常に海面３に浮いているので全方向にたいして抵抗の少ない球体である。【００２２】  浮き４は別のリーシュコードに付け替えられる様、外側から中心かけて切り目８がある。
【符号の説明】
【００２３】      １  リーシュコード            ２  フィン
３  海面                      ４  浮き
５  体                        ６  サーフボード
７  穴                        ８  切り目
９  オモリ                  １０  足
１１  足首
【図１】
2010188743.tif 000003
【図２】
2010188743.tif 000004
【図３】
2010188743.tif 000005
【図４】
2010188743.tif 000006
(57)【要約】【課題】  従来の事務用クリップの外し方では、指または、事務用クリップ止め具等に付いている事務用クリップを引っかける溝部分と指を使って行うため、指に力が必要で、特に硬く綴じたクリップは、力の弱い使用者ではクリップを外しにくい。【解決手段】  外そうとする事務用クリップを上下から挟みこみ、そのまま事務用クリップ外し具をスライドすることにより事務用クリップを簡単に外すことにした。  また、外した事務用クリップが周りに飛ばないように、事務用クリップ外し具の側面に事務用クリップを受け止める板を取りつけた。これにより、使用者の周りに不用意に飛んでいくことが無くなった。さらに、外した事務用クリップを受け止める板に必要な隙間をあけ、外した事務用クリップを簡単に事務用クリップ外し具の外に出すことができる。【選択図】図１
2010188712.tif 000002
【特許請求の範囲】
【請求項１】
（イ）事務用クリップを挟み込む。
（ロ）挟んだときに事務用クリップを引っ掛ける突起がある。
（ハ）スプリングにより事務用クリップを挟む部分が常時開いている。
（ニ）外した事務用クリップが周りに飛ばないよう両サイドに止め板がある。
（ホ）外した事務用クリップを受け止める板に必要な隙間をあけ、外した事務用クリップを、簡単に事務用クリップ外し具の外に出すことができる。
以上の構成よりなる事務用クリップ外し具。
【発明の詳細な説明】
【技術分野】
【０００１】  本発明は、事務用クリップを簡単に外すための器具に関する。
【背景技術】
【０００２】  従来の事務用クリップを外す方法では、指で外すか、事務用クリップ止め具等に付いているクリップを外すための溝に、外す対象のクリップの片方をあて、クリップのもう片方は指で押え力を入れて外している。
【発明の概要】
【発明が解決しようとする課題】
【０００３】  従来の事務用クリップの外し方では、指または、事務用クリップ止め具等に付いている事務用クリップを外すための溝部分と指を使って行うため、指に力が必要で、特に力の弱い使用者では硬く綴じた事務用クリップを外しにくい。【０００４】  本発明は、このような従来の問題を解決しようとするものであり、事務用クリップを外すことを容易にし、事務用クリップを使いやすくすることを目的とするものである。
【課題を解決するための手段】
【０００５】  そして、本発明は上記目的を達成するために、外そうとする事務用クリップを上下から挟みこみ、そのまま事務用クリップ外し具をスライドすることにより事務用クリップを簡単に外すことにしたものである。【０００６】  また、外した事務用クリップが周りに飛ばないように、事務用クリップ外し具の側面に事務用クリップを受け止める板を取りつけている。さらに、外した事務用クリップを受け止める板に必要な隙間をあけ、外した事務用クリップを簡単に事務用クリップ外し具の外に出すことにした。
【発明の効果】
【０００７】  上記したように本発明の事務用クリップ外し具は、硬く綴じた事務用クリップでも簡単に外すことが可能になり、今までのように指に力を入れたり、指を痛くする事がなくなり、事務用クリップの使いやすさの向上を図ることができる。【０００８】  また、指の力の弱い方、マニュキュア等で指を大切にしている方にも、本発明の事務用クリップ外し具の利用により、楽に事務用クリップが外せるようになる。さらに、外した事務用クリップを簡単に事務用クリップ外し具の外に出すことができる。【０００９】  事務用クリップが持つ機能である、事務用クリップの再利用をしやすくすることにも効果を発揮するものである。
【図面の簡単な説明】
【００１０】
【図１】  本発明の事務用クリップ外し具の斜視図
【図２】  同  正面図
【図３】  同  側面図
【図４】  同  平面図
【発明を実施するための形態】
【００１１】  以下、本発明の実施形態を図１〜図４に基づいて説明する。
【００１２】  図においては、１は事務用クリップを上下に挟む開口部で、事務用クリップを引っ掛ける突起２、常時開いておくためのスプリング３、事務用クリップが周りに飛ばないようにする止め板４、事務用クリップを事務用クリップ外し具から外に出す隙間５である。
【符号の説明】
【００１３】  １  開口部
２  突起
３  スプリング
４  止め板
５  止め板の隙間
【図１】
2010188712.tif 000003
【図２】
2010188712.tif 000004
【図３】
2010188712.tif 000005
【図４】
2010188712.tif 000006
(57)【要約】      （修正有）【課題】地下駐車場や深夜の街灯の無い駐車場で、自動車を前進又は後退させる時に、目視では車の前方、後方が確認できない時に、ブレーキとアクセルを踏み間違えることを防止する。【解決手段】自動車の前方および後方に青色光線の発射器２、受光器３を備えておき、障害物８により当たり反射して帰って来た青色光線を受光したした時に急ブレーキをかけ、同時にリレー５を動作させエンジンのイグニッションコイルへ供給する電源を切り車を急停車させる。【選択図】図−１
2010188988.tif 000002
【特許請求の範囲】
【請求項１】
自動車の前部及び後部に直線性の高い青色光線を発射する発射器と反射した反射光線を受ける受光器と受光器によって受光した時に電源が入り急ブレーキをかけるプランジャーが引き急ブレーキをかけ、同時にリレーが動作してエンジンのイグニッションコイルに供給する電源を遮断する青色光線衝突防止装置。
【発明の詳細な説明】
【発明の詳細な説明】
【０００１】
【技術分野】
【０００２】本発明は自動車の近距離の衝突事故を防止する手段に関するものである。
【背景技術】
【０００３】現在の自動車は運転を運転者の目視により走行、制動の操作を行うものであり、街灯の無い暗闇の中では前方、後方の障害物や人物に気付かず、又、直前、直後に人物がいた時にあわててブレーキとアクセルを踏み間違え事故を起こすことがあった。さらに物体を感知するために赤外線を使用した感知装置はあったがビームが太くスポットが大きかった。
【発明が解決しようとする課題】
【０００４】本発明はこの欠点を除くものである。
【発明が解決する手段】
【０００５】自動車（１）が進もうとする方向に向けて青色発光ダイオードを発射する発射器（２）と隣接して反射光を受光する受光器（３）を設置して受光した光線で受光回路（（４）を動作させ電子スイッチをＯＮにしてプランジャー（６）を動作させて接続棒（７）を引かせてブレーキを踏んだ状態にし、同時にリレー（５）をＯＮしてエンジンのイグニッシオンコイルに供給する電源を遮断して自動車を急停車させる。
【発明を実施するための形態】
【０００６】以下に本発明の実施の形態について説明する。（イ）図−１は本発明の構造図である。（ロ）自動車（１）は前方に走行中に青色発光ダイオードに電源を供給する。（ハ）ダイオードは点灯し、レンズ（９）を介して前方に青色の光線ビームを青色光線発      射器（２）より発射する。（ニ）近い距離の前方に障害物（８）があった時、光線は障害物（８）に当たりいくらか      は反射する。（ホ）この反射光をレンズ（９）を介してブルーレイレコーダーなどで使用される受光器      （３）で受光する。（ヘ）受光器（３）はＯＮしてバッテリー（１０）からの電源をＯＮにする。（ト）この電源でプランジャー（６）が動作し、接続棒（７）を引きブレーキペダルを人      が踏んだ状態にする。（チ）同時にリレー（５）を動作させてエンジンのイグニッションコイル（１３）に供給      する電源を遮断する。（リ）この一連の動作により自動車は急停車する。（ヌ）後方用の回路は自動車のギヤがバックの時のみ動作させ、走行中に後方を走行する      他の車からのビームで誤動作するのを防止する。
【発明の効果】
【０００７】真の闇でも近距離における衝突事故を防止することができる。
【図面の簡単な説明】
【０００８】
【図−１】は本発明の構成図である。
【０００９】
【符号の説明】１自動車２青色光線発射器３ブルーレイ受光器４電子スイッチ５リレー６プランジャー７接続棒８章が異物９レンズ１０バッテリー１１ブレーキペダル１２プランジャーブラケット
【図−１】
2010188988.tif 000003
(57)【要約】【課題】革製品を作る時に、木槌でたたく音やミシンを使うときの音のため、作業場所や作業時間が限られていた。また、手縫いで糸を通す穴を革にあける時に音を抑える用具があるが、革の端の穴あけ作業しか基本的にできない。それらを解決する革用騒音対策工具を提供する。【解決手段】ドリルスタンドとの接合部（１）、ずれ防止部（２）、バイスとの接合部（３）で構成し、バイスとの接合部（３）にボルトを入れる穴（４）、ボルトを入れる穴（５）を設けたことを特徴とする。【選択図】図４
2010188510.tif 000002
【特許請求の範囲】
【請求項１】
ドリルスタンドとの接合部（１）、ずれ防止部（２）、バイスとの接合部（３）で構成し、バイスとの接合部（３）にボルトを入れる穴（４）、ボルトを入れる穴（５）を設けたことを特徴とした、革用騒音対策工具。
【発明の詳細な説明】
【技術分野】
【０００１】  本発明は、革を使って手縫いをしたい時に、これ一台で音を抑えながら、しかも基本的にどんな位置にも垂直に、木槌で使う用具を用いて穴を開けたり、金具をつけたり、刻印をする作業ができる、革用騒音対策工具に関するものである。
【背景技術】
【０００２】  従来、手縫いの場合、木槌を使って作業することが多く、音が出てしまう。
ゆえに、糸を通す穴を革にあける時、音を抑える用具があった。
そして、ホック類などの金具を取り付けられる、音を抑える専門の工具もあった。
また、革対応のミシンがあった。
【発明の開示】
【発明が解決しようとする課題】
【０００３】  そのために、次のような問題点があった。
（イ）木槌でたたく音やミシンを使うときの音のため、作業場所や作業時間が限られた。
（ロ）手縫いで糸を通す穴を革にあける時に音を抑える用具は、革の端の穴あけ作業しか基本的にできない。
本発明は以上の問題点を解決するものである。
【問題を解決するための手段】
【０００４】  ドリルスタンドの接合部（１）、ずれ防止部（２）、バイスとの接合部（３）で構成し、バイスとの接合部（３）にボルトを入れる穴（４）、ボルトを入れる穴（５）を設ける。
以上のように構成された革用騒音対策工具である。
【発明の効果】
【０００５】  穴をあける作業で使う用具には、菱目打ち、目打ち、ハトメ抜き、シェイプパンチ、バックル用穴あけ、ベルト用穴あけ等を使用し、また、金具をつける時にも、様々な打ち棒がある。
刻印も数多くある。
それらの用具のサイズは直径約６ミリから約３０ミリの円柱型のものや、角柱型のもの、板状のものと色々あるが、ほぼ全てをバイスへ取り付ける事が可能である。
そして、音を抑えて目的を果たすことができる。
加えて、用具の交換も簡単にできる。
尚、カービング技法をしたい時は、この工具の使用は向かないと思われる。
なぜなら、独特の刻印の動かし方が必要だからである。
【発明を実施するための最良の形態】
【０００６】  以下、本発明の実施の形態について説明する。
ドリルスタンドの接合部（１）、ずれ防止部（２）、バイスとの接合部（３）で構成し、バイスとの接合部（３）にボルトを入れる穴（４）、ボルトを入れる穴（５）を設ける。
以上のように構成された革用騒音対策工具である。
（イ）垂直ドリルスタンド図２の本発明との接合部（６）の下部から、本発明図１のドリルスタンドとの接合部（１）を挿入し、ずれ防止部（２）まで押し上げて、ボルト（７）でしめて装着する。
（ロ）バイス図３は、本発明図１のバイスとの接合部（３）の所に装着するが、ボルト（１０）をボルトを入れる穴（４）に、ボルト（１１）をボルトを入れる穴（５）に、それぞれ入れてナットでしめ、図４のように固定する。
（ハ）バイス図３には、用具を取り付けて使用中ずれないように補助金具（１２）を装着する。
本発明は以上のような構成である。
これを使用する時は、革に糸を通す穴をあける場合、使用したい用具を、用具取り付け部（１３）の所にセットして、レバー（８）を下げる。
そして、貫通させやすいようにベース部分（９）に、ゴムの板やカッターマットを敷く。
このことから、音を抑えて目的を果たすことができるので、作業場所や作業時間の選択が広がる。
【図面の簡単な説明】
【０００７】
【図１】本発明の斜視図
【図２】本発明と接合する垂直ドリルスタンドの斜視図
【図３】本発明と接合するバイスの斜視図
【図４】本発明とドリルスタンドとバイスをつなぎ合わせた斜視図
【符号の説明】
【０００８】  １  ドリルスタンドとの接合部
２  ずれ防止部
３  バイスとの接合部
４  ボルトを入れる穴
５  ボルトを入れる穴
６  本発明との接合部
７  ボルト
８  レバー
９  ベース部分
１０  ボルト
１１  ボルト
１２  補助金具
１３  用具取り付け部
【図１】
2010188510.tif 000003
【図２】
2010188510.tif 000004
【図３】
2010188510.tif 000005
【図４】
2010188510.tif 000006
(57)【要約】      （修正有）【課題】直流モーターにおいて、入力が一定なのに対しトルクは時間帯によって差がある。【解決手段】位置の異なる２つの回転子１を具備し、交互に高効率となる時間帯だけ電流を流し、低効率で運転する時間帯をなくした。【選択図】図１
2010259310.tif 000002
【特許請求の範囲】
【請求項１】
２軸直流モーターが２つ９０°互い違いに設置されていて、トルク効率のいい９０°の時のみ交互に電流を送る状態。
さらに、軸を３個以上増やした場合も含む。
【発明の詳細な説明】
【技術分野】
【０００１】本発明は直流モーターに関するものである。
【背景技術】
【０００２】直流３相モーター或いは２相モーターにおいてコイルに電流を流して電磁石にし、永久磁石との吸引力又は反発力を利用し回転させていた。
【発明の概要】
【発明が解決しようとする課題】
【０００３】直流モーターにおいて、軸が一回転するにあたり入力が一定に対しトルクの大きさは回転するさいに変化していて最小ではほとんど０になる。
【課題を解決するための手段】
【０００４】軸を２つ９０°互い違いに設置しトルク効率のいい時間帯だけに交互に流すことにした。
【発明の効果】
【０００５】従来の直流モーターより同じ入力で比べても強い回転力を得ることができた。
【図面の簡単な説明】
【０００６】
【図１】本発明の外部、内部の斜面図
【図２】本発明の整流子部の断面図
【発明を実施するための形態】
【０００７】以下、本発明の実施の形態について説明する。
（イ）電磁石１が９０°違いで設置する。
（ロ）整流子２が９０°ごと流れるように設置する。
【符号の説明】
【０００８】（１）電磁石（２）整流子（３）ブラシ（４）磁石（５）外枠（６）鉄心
【図１】
2010259310.tif 000003
【図２】
2010259310.tif 000004
(57)【要約】      （修正有）【課題】楽な姿勢で簡単に操作が出来る、シンプルな構造のペット用トイレを提供する。【解決手段】ペット犬の糞を受け取る便器２に取っ手１をつけたペット用トイレは、押す力で蓋４が開き持ち上げると自重で蓋４が閉まる構造になっていて便器２と蓋４の２点の部品から構成される。【選択図】図１
2010259377.tif 000002
【特許請求の範囲】
【請求項１】
ペットの糞を受ける上部が開口した便器の一方の端に便器と略垂直に取っ手を設け便器と取っ手が一体になっていることを特徴とするペット用トイレ  
【請求項２】
前記に記載のペット用トイレにおいて、取っ手の下端には支点がありその支点を中心にして回転自在に蓋が取り付けられている請求項１記載のペット用トイレ。
【請求項３】
前記に記載のペット用トイレにおいて、蓋には支点側から下方向に延びるベロを備え蓋が連動して回転することを特徴とする請求項２に記載のペット用トイレ。        
【発明の詳細な説明】
【技術分野】
【０００１】
本発明はペット用トイレ、より具体的にはペット犬等の糞を処理する ペット用トイレに関する。          
【背景技術】
【０００２】
近年ペット犬の種類が多くなり、ペット数も増加している。ペット犬は生き物であり必ず糞をするがその場所は地面や床など必ずお尻より低いところに排泄する。
【先行技術文献】
【特許文献】
【０００３】
このため飼い主は家の中ではトイレシートに  屋外では地面に落ちた糞を排便用ビニールに入れて持ち帰っているがどちらも糞を取るときしゃがんで取り処分する動作が発生する。家の中では放置しない糞も屋外ではつい面倒になり放置してしまう、ペットの糞の処理は飼い主の義務であることは世界共通であるが海外の都市部においても糞の放置は環境美化と衛生の観点から問題になることがある。
このため例えば文献１や２には、地面に落ちる前に受け取ることによってしゃがまずに取るペット用携帯トイレが開示されている。
【特許文献１】特開２００７−６８４８３
【特許文献２】特開平８−１７２９６３
【発明の概要】
【発明が解決しようとする課題】
【０００４】
しかしながら、上記従来技術に記載されたペット用携帯トイレでは部品点数が多く構造が複雑であるため製造コストが高くなる、またレバー等による操作や袋等の交換が必要であり操作性が悪い。
【課題を解決するための手段】
【０００５】
本発明はこのような従来技術の課題を解決し、部品点数を減らしたシンプルな構造でありレバーや袋等を無くし簡単に操作ができるペット用トイレを提供することを目的とする。本発明は請求項１はペットの糞を受ける上部が開口した便器の一方の端に便器と略垂直に取っ手を設け便器と取っ手が一体になっていることを特徴とするペット用トイレである。  請求項２は前記に記載のペット用トイレにおいて、取っ手の下端には支点がありその支点を中心にして回転自在に蓋が取り付けられている請求項１記載のペット用トイレである。請求項３は前記に記載のペット用トイレにおいて、蓋には支点側から下方向に延びるベロを備え蓋が連動して回転することを特徴とする請求項２に記載のペット用トイレである。
【０００６】
本発明は上記課題を解決するための手段として請求項１に記載された  発明は、ペット犬の糞を受ける便器と取っ手が一体構造になっていることを特徴とする。
【０００７】
請求項３に記載された発明は請求項１に記載のペット用トイレにおいてペット用トイレを降ろした時に接地したベロ部と連動し蓋が開き、持ち上げると自重で蓋が閉まる構造を特徴とする。
【発明の効果】
【０００８】
本発明のペット用トイレによれば、取っ手が便器と一体構造になっており便器と蓋の２点の部品で構成される、またシーソーの原理と自重を利用することによりシンプルな構造になり作りやすくなる。
【０００９】
本発明のペット用トイレによれば、シーソーの原理と自重を利用することにより手によるレバー等の操作が無くなり使いやすくなる。
【００１０】
本発明のペット用トイレによれば、取っ手は便器よりも高い位置に設け立ったままで便器に直接糞を取り蓋をして家に持ち帰りペット用トイレの便器から自宅のトイレやゴミ箱に移し処分するこれによりしゃがむ動作と袋等の交換が無くなり使いやすくなる。
【図面の簡単な説明】
【００１１】
【図１】本発明によるペット用トイレの形態を示す斜視図
【図２】図１のペット用トイレの部品構成図
【図３】図１の機能を説明する側面図
【発明を実施するための形態】
【００１２】
次に添付図面を参照して本発明によるペット用トイレの実施の形態を詳細に説明する。図１を参照すると例えば本発明によるペット用トイレの実施の形態を示すペット用トイレの斜視図が示されている。図２を参照するとペット用トイレの糞を受ける便器１と持ち運ぶための取っ手２は一体になっており取っ手は便器の一方の端にあり便器よりも上方の高い位置にある、なお便器１・取っ手２と蓋４は例えば木材・樹脂またはアルミ等の金属で形成可能であり形状も長方形から楕円形・半円形と特にその材質と形状は限定されるものではない。
【００１３】
図３は本発明によるペット用トイレの動作の詳細を示されている。蓋部４は底部に出たベロ５を地面または床につけ取っ手１を下方向に押す（図３−c）ことにより接合部3を支点にシーソーの原理で蓋が開く（図３−d）。取っ手を持ち上げる（図３−e）と蓋の自重で閉まる（図３−f）。接合部３は凹凸によって取り付け取っ手１と蓋４とは互いに回転し自由に動くものとする。
【産業上の利用可能性】
【００１４】
ペット用品に関する産業に利用できる。
【符号の説明】
【００１５】
１取っ手
２便器
３接合部
４蓋
５ベロ
【図１】
2010259377.tif 000003
【図２】
2010259377.tif 000004
【図３】
2010259377.tif 000005
(57)【要約】【課題】錠剤として成形し易く、水に溶かした場合に適度の反応速度で適量の水素イオンを含有する健康飲料水を提供する。【解決手段】有効成分１に対して以下の成分−水素吸蔵珊瑚粉末４５．１重量％、クエン酸（無水）２９．５重量％、炭酸水素ナトリウム９．２重量％、ミネラルゴールド液０．５重量％、コーンスターチ９．２重量％、セルロース４．５重量％−を混合して基材を構成する。基材を、９５％エタノールを添加して混合して造粒する。基材を乾燥後に、有効成分１に対して、グリセリン脂肪酸エステル２．０重量％を添加して混合する。その後、整粒して、錠剤に成形する。【選択図】なし【特許請求の範囲】
【請求項１】
水素吸蔵珊瑚粉末を４０乃至６０重量％配合し、これにクエン酸（無水）を２０乃至３５重量％、さらに賦形剤を加えてなる基材を成形して錠剤にしたことを特徴とする健康飲料用の錠剤。
【請求項２】
以下のような成分を配合してなる基材を成形して錠剤にしたことを特徴とする健康飲料用の錠剤
水素吸蔵珊瑚粉末          ４５．１重量％
クエン酸（無水）          ２９．５重量％
炭酸水素ナトリウム          ９．２重量％
ミネラルゴールド液          ０．５重量％
コーンスターチ              ９．２重量％
セルロース                  ４．５重量％
グリセリン脂肪酸エステル    ２．０重量％
【請求項３】
以下のようにして製造したことを特徴とする健康飲料用錠剤の製造方法。
（１）有効成分１に対して以下の成分を混合して基材を構成する。
水素吸蔵珊瑚粉末        ４５．１重量％
クエン酸（無水）        ２９．５重量％
炭酸水素ナトリウム        ９．２重量％
ミネラルゴールド液        ０．５重量％
コーンスターチ            ９．２重量％
セルロース                ４．５重量％
（２）前記基材を、９５％エタノールを添加して混合して造粒する。
（３）前記基材を乾燥後に、有効成分１に対して
グリセリン脂肪酸エステル  ２．０重量％
を添加して混合する。
（４）その後、整粒して、錠剤に成形する。
【発明の詳細な説明】
【技術分野】
【０００１】
この発明は、水素吸蔵珊瑚粉末などを主成分とした抗酸化作用のある健康飲料用の錠剤とその錠剤の製造方法に関する。
【背景技術】
【０００２】
水素イオンの還元作用を利用して抗酸化作用を付与した健康飲料としては多く提案されている。例えば、金属マグネシウム粉末を水に溶かすことによって、還元水を発生させる発明（特許文献１）、水素ガスを吸着させて珊瑚粉を水に反応させる健康食品に関する発明（特許文献２）がある。
【先行技術文献】
【特許文献】
【０００３】
【特許文献１】特許４０７２７８７号公報
【特許文献２】特許４２３３６０１号公報
【発明の概要】
【発明が解決しようとする課題】
【０００４】
前記背景技術のうち、前者の発明は、浴剤などには適するが、金属マグネシウムを主成分としているので、反応残余が生じるおそれもあり、体内に取り込む飲用としては適さなかった。また、後者の技術では、珊瑚粉末を使用するので、反応が早く、健康飲用には適さなかった。
【課題を解決するための手段】
【０００５】
この発明は、水素吸蔵珊瑚粉末の４０乃至６０重量％とクエン酸などを配合してなる基材を成形して錠剤としたので、前記課題を解決した。
【０００６】
すなわち、この発明は、水素吸蔵珊瑚粉末を４０乃至６０重量％配合し、これにクエン酸（無水）を２０乃至３５重量％、さらに賦形剤を加えてなる基材を成形して錠剤にしたことを特徴とする健康飲料用の錠剤である。
【０００７】
また、他の発明は、以下のような成分を配合してなる基材を成形して錠剤にしたことを特徴とする健康飲料用の錠剤である。  
水素吸蔵珊瑚粉末          ４５．１重量％
クエン酸（無水）          ２９．５重量％
炭酸水素ナトリウム          ９．２重量％
ミネラルゴールド液          ０．５重量％
コーンスターチ              ９．２重量％
セルロース                  ４．５重量％
グリセリン脂肪酸エステル    ２．０重量％
【０００８】
また、他の発明は、以下のようにして製造したことを特徴とする健康飲料用錠剤の製造方法である。  
（１）有効成分１に対して以下の成分を混合して基材を構成する。  
水素吸蔵珊瑚粉末        ４５．１重量％
クエン酸（無水）        ２９．５重量％
炭酸水素ナトリウム        ９．２重量％
ミネラルゴールド液        ０．５重量％
コーンスターチ            ９．２重量％
セルロース                ４．５重量％
（２）前記基材を、９５％エタノールを添加して混合して造粒する。  
（３）前記基材を乾燥後に、有効成分１に対して
グリセリン脂肪酸エステル  ２．０重量％
を添加して混合する。  
（４）その後、整粒して、錠剤に成形する。
【０００９】
前記における水素吸蔵珊瑚粉末は、４０重量％以下では、錠剤とした場合には充分な水素イオンの発生をさせることができず、６０重量％以上では、発生水素イオンが多すぎ、また錠剤として成形し難いことになる。
【発明の効果】
【００１０】
水素吸蔵珊瑚粉末を４０乃至６０重量％配合し、これにクエン酸（無水）を２０乃至３５重量％を加えてなる基材を構成したので、錠剤として成形し易く、水に溶かした場合に適度の反応速度で適量の水素イオンを含有する健康飲料水を構成できる。
【発明を実施するための形態】
【００１１】
１．錠剤の製造
【００１２】
（１）本発明は、以下表１のような成分から構成する。
【表１】
2010259355.tif 000002
【００１３】
前記における水素吸蔵珊瑚粉末は、珊瑚カルシウムの粉末を特殊焼成して、得られる。  
前記におけるミネラルゴールド液とは、カルシウムイオン、カリウムイオンなど各種ミネラル成分を混合して構成する。  
（２）上記成分の内、１〜６を混合して基材を形成する。  
（３）基材に対して、９５％エタノール液を２０ｇ添加して混合して、造粒する。  
（４）造粒した基材を乾燥させた後、成分７のグリセリン脂肪酸エステルを添加して混合する。  
（５）上記成分７を加えた基材を篩いにかけて、整粒する。  
（６）その後、１粒で直径８ｍｍ、重量２５０ｍｇの球型錠剤を打錠して、錠剤を完成する。このとき、硬度を６ｋｇｆ（５８．８Ｎ）とする。
【００１４】
２．錠剤の使用
【００１５】
上記のように構成した錠剤は、例えば、水２００ｃｃを入れたコップに、１錠入れると、錠剤から水素イオン（Ｈ−）が発生するので、錠剤が溶解後、または錠剤と共に、水を体内に取り込む。水素により、体内の老廃物が還元され、健康に資することができる。
(57)【要約】【課題】  従来から使用されている携帯電話機器は、高額であり月々の電話代もかなりな高額使用料であるが、本発明の広告付両面モニター携帯電話機器は、広告を両面のモニターに表示するもので、該広告から得られる広告収入を消費者に還元して購入時に定額で販売し、更に月々支払う電話代をポイント履歴装置を利用して低額とするものである。【解決手段】  従来の携帯電話機器は特別に広告を表示しないものであるが、本発明の広告付両面モニター携帯電話機器は、基本的に両面のモニターに広告を表示して、該広告から得られる広告収入の一部を携帯電話購入時に消費者に還元して低額で販売する、又、広告を映像表示した時間と回数等の履歴をインターネット広告管理センターより送信して、上記の広告料とは別に、定期的に広告料の一部を携帯電話所有者に還元して、月々の使用料を低額となすことができるようにしたものである。【選択図】図１
2010259032.tif 000002
【特許請求の範囲】
【請求項１】
現在使用されている携帯電話機器は、映像表示をするモニターを単一面のモニターのみで装着しているが、上記単一面の反対側に別の本発明の新規モニター（５）を装着して両面モニターとしたことを特徴とする広告付両面モニター携帯電話機器。
【請求項２】
携帯電話に設置された両面のモニターに広告表示がなされる、又は、どちらかの１面に広告表示がなされるようにマルチ映像表示機器（７）を装着して、２枚のモニターあるいは１枚のモニターに広告を表示することを特徴とする上記請求項１記載の広告付両面モニター携帯電話機器。
【請求項３】
携帯電話に広告を表示する際に、携帯電話使用者が気に入った商品の広告が表示される操作装置である広告を記憶する装置（６）を内蔵し、その商品を購入したい場合、商品購入欄を指等でタッチ又はボタン操作をして商品申し込みがなされ、商品を購入することができることを特徴とする上記請求項１又は２記載の広告付両面モニター携帯電話機器。
【請求項４】
広告モニターが表示された場合、該モニターに広告を表示した時間や、より詳細な広告を見るための回数等の履歴情報を記憶し、更に当該情報をインターネット広告管理センターに送信することができるポイント履歴装置（８）を内蔵して、携帯電話機器の購入者に前払いする収入源である広告収入とは別に任意での広告を見た場合の広告収入の一部が、携帯電話所有者に還元されることを特徴とする上記請求項１又は２記載の広告付両面モニター携帯電話機器。
【発明の詳細な説明】
【技術分野】
【０００１】  従来使用されている携帯電話機器は、両面でなく片面にのみ映像表示装置のモニターを装着しているが、本発明は、従来の携帯電話機器に両面にモニターを取付して、該モニターに広告を表示して広告宣伝することができるものとしたものである。
【背景技術】
【０００２】  従来この種における携帯電話機器は、非常に高額であり容易に購入出来ない、又、月々支払う電話代等も高額になりがちである等問題点がある。
【発明の概要】
【発明が解決しようとする課題】
【０００３】  本発明は、現在の携帯電話機器は、高額であり月々の電話代も高額になりがちである等の課題を解決して、使用者の利便性を高めるものである。
【課題を解決するための手段】
【０００４】  上記に説明した広告付両面モニター携帯電話機器（１）により、広告を表示するための手段は、広告を記憶する装置（６）及びマルチ映像表示機器（７）を併設し、中央部分の表示モニター（２）、新規のモニター（５）及び広告表示外周部分モニター（３）が同時に、又、別々に表示できることとして広告収入を得る他に、ジャンル別表示モニター（４）を装設して広告表示モニターにおいて詳細に広告が表示されるようにし、更に商品を購入できる欄をジャンル別表示モニターに併設する。
その他に、広告を映像表示した時間やジャンル別広告欄をタッチした回数等をポイントにして、ポイント履歴をインターネット広告管理センターに送信するポイント履歴装置（８）を併設して、上記広告収入の他に別途広告収入を得て、上記問題を解決したものである。
【発明の効果】
【０００５】  上記に説明した広告付両面モニター携帯電話機器により、広告を表示して、該広告から得られる広告収入の一部を携帯電話購入者に還元し、購入時に相当の低額とする。
更に、積極的に広告を見たことの履歴をポイント制にして、定期的にポイントに見合う広告収入の一部を携帯電話購入者に還元して、月々の電話代を低額とする。
その他に、広告表示をより詳細に見ることができ、更に見た商品を簡単に買うことができる等の利便性を高めた。
【図面の簡単な説明】
【０００６】
【図１】本発明の広告モニター表示装置を装着した両面の全体図
【図２】本発明の広告モニター表示装置装着内部断面図
【発明を実施するための形態】
【０００７】  本発明の最良の用法を説明すると、携帯電話機器にマルチ映像表示機器及び広告を記憶する装置を併設し、広告が広告専用外周部分のモニター及び新規反対面に併設したモニターに同時に、又は、別々に表示できることとした。
又、広告表示モニターにより詳細に広告が表示されるようにジャンル別変更表示モニターを装設し、商品を購入できる欄を併設し、その他に、広告を映像表示した時間やジャンル別広告欄をタッチ等操作した回数等をポイントに換算して、ポイント履歴をインターネット広告管理センターに送信する。
【実施例】
【０００８】  本発明の実施例を図面について以下の通り説明する。
図１に関し、携帯電話機器本体（１）に、従来からの各種情報を表示するモニター中央部分（２）、広告を表示するモニター外周部分（３）、広告を変更するジャンル別表示のモニター外周部分（４）及び反対面の新規モニター（５）を装設して、広告を強制的に同時表示し、あるいは別々に表示して該広告収入の一部を携帯電話購入時に前払いして低額で携帯電話を販売する。
図２に関し、携帯電話本体（１）の内部には、上記表示の各モニター（２，３，４）、新規モニター（５）、広告を記憶する装置（６）、マルチ映像表示機器（７）、ポイント履歴装置（８）を装着内蔵して、従来からある中央モニター（２）に各種の情報を表示するのと同時に広告専用の表示をするモニター（３，４，５）に広告を表示する他に、任意に広告を見たことの履歴を記憶しそれをポイントに換算してインターネット広告管理センターにポイント履歴装置（８）を使用して送信して、該ポイントに応じて強制的広告収入とは別途の広告収入として、その一部を定期的に携帯電話所有者に還元するものとする。
【符号の説明】
【０００９】１      携帯電話機器本体
２      従来のモニター中央部分
３      広告専用表示のモニター外周部分
４      ジャンル別表示のモニター外周部分
５      本発明の新規モニター部分
６      広告を記憶する装置
７      マルチ映像表示機器
８      ポイント履歴装置
【図１】
2010259032.tif 000003
【図２】
2010259032.tif 000004